(57)【要約】      （修正有）【課題】屋外の気温によって屋内の気温が影響されるのを少なくするため、カーテンレールを上下動させる装置を設けたカーテンレールを提供する。【解決手段】カーテンレール１の両端部に上下移動装置２ｂを設け、窓ガラス２２で冷やされた空気が、カーテン１５と窓枠板２１の間の隙間３１から屋内３２に流れ込むのを防ぎ、屋内３２の暖房効率をよくできる。【選択図】図３
0003149943.tif 000002
【実用新案登録請求の範囲】
【請求項１】
（イ）カーテンレール１の両端部に上下移動装置２ａ，２ｂを設ける。
（ロ）上下移動装置２ａは、窓枠板２１に取り付ける固定部４ａと押し込み式で上下する上下移動部５ａから成る。
（ハ）上下移動部５ａには、カーテンレール１を連結させるためのカーテンレール連結部６ａを設ける。
（ニ）上下移動装置２ｂは、窓枠板２１に取り付ける固定部４ｂと押し込み式で上下する上下移動部５ｂから成る。
（ホ）上下移動部５ｂには、カーテンレール１を連結させるためのカーテンレール連結部６ｂを設ける。
（ヘ）カーテンレール１は、上下移動部５ａ，５ｂとカーテンレール連結部６ａ，６ｂで連結されている。
以上の構成より成る、カーテンレール１を上下させる装置を設けたカーテンレール１。
【考案の詳細な説明】
【技術分野】
【０００１】  この考案は、屋外の気温によって屋内の気温が影響されるのを少なくするための、カーテンレールを上下させる装置を設けたカーテンレールに関するものである。
【背景技術】
【０００２】  従来、図１に示すように、カーテンレール１１は窓枠板２１に固定されていた。このため、カーテン１５も左右には動くものの、上下に移動できなかった。
【考案の開示】
【考案が解決しようとする課題】
【０００３】１：冬など、屋外３３の気温が屋内３２の気温よりも低い場合、窓ガラス２２が冷やされ、それに接している屋内３２の空気が冷やされてしまう。その冷やされた空気が、カーテン１５と窓枠板２１の間の隙間３１から屋内３２に流れ込む。この結果、屋内３２の暖房効率が悪くなる。
２：夏など、屋外３３の気温が屋内３２の気温よりも高い場合、窓ガラス２２が暖められ、それに接している屋内３２の空気が暖められてしまう。その暖められた空気が、カーテン１５と窓枠板２１の間の隙間３１から屋内３２に流れ込む。この結果、屋内の冷房効率が悪くなる。
【課題を解決するための手段】
【０００４】  本考案はこれらの欠点を解決するために成されたものである。
本考案は、図２で示すように、カーテンレール１と上下移動装置２ａ，２ｂから構成されている。
【考案の効果】
【０００５】  本考案は次のような効果がある。
１：冬など、窓ガラス２２で冷やされた空気が、カーテン１５と窓枠板２１の間の隙間３１から屋内３２に流れ込むのを防ぎ、屋内３２の暖房効率をよくできる。
２：夏など、窓ガラス２２が暖められた空気が、カーテン１５と窓枠板２１の間の隙間３１から屋内３２に流れ込むのを防ぎ、屋内３２の冷房効率をよくできる。
【考案を実施するための最良の形態】
【０００６】  以下、本考案を実施するための最良の形態を説明する。
本考案は、下記のような構成より成っている。
（イ）カーテンレール１の両端部に上下移動装置２ａ，２ｂを設ける。
（ロ）上下移動装置２ａは、窓枠板２１に取り付ける固定部４ａと押し込み式で上下する上下移動部５ａから成る。
（ハ）上下移動部５ａには、カーテンレール１を連結させるためのカーテンレール連結部６ａを設ける。
（ニ）上下移動装置２ｂは、窓枠板２１に取り付ける固定部４ｂと押し込み式で上下する上下移動部５ｂから成る。
（ホ）上下移動部５ｂには、カーテンレール１を連結させるためのカーテンレール連結部６ｂを設ける。
（ヘ）カーテンレール１は、上下移動部５ａ，５ｂとカーテンレール連結部６ａ，６ｂで連結されている。
これらを次に詳しく説明する。【０００７】（イ）の「カーテンレール１の両端部に上下移動装置２ａ，２ｂを設ける。」について説明する。（図３参照）
冬など、屋外３３の気温が屋内３２の気温よりも低い場合、窓ガラス２２が冷やされ、それに接している屋内３２の空気が冷やされてしまう。その冷やされた空気が、カーテン１５と窓枠板２１の間の隙間３１から屋内３２に流れ込む。
この結果、屋内３２の暖房効率が悪くなるので、カーテン１５の裾を窓枠板２１に乗せる必要がある。カーテン１５の裾を窓枠板２１に乗せれば、窓ガラス２２とカーテン１５によって、窓ガラス２２付近の空気は閉じ込められて空気の対流はほとんどなくなり、冷やされた空気が、カーテン１５と窓枠板２１の間の隙間３１から屋内３２に流れ込むことがなくなる。
このように、窓ガラス２２付近の空気を閉じ込めて空気の対流をほとんどなくするために、カーテンレール１を上下させる必要がある。【０００８】（ロ）の「上下移動装置２ａは、窓枠板２１に取り付ける固定部４ａと押し込み式で上下する上下移動部５ａから成る。」について説明する。（図２，３参照）
カーテンレール１を上下に移動させる方法はいろいろあるが、押し込み式でカーテンレール１を上下に移動させる方法がある。
押し込み式の上下移動装置２ａは、窓枠板２１に取り付ける固定部４ａと押し込み式で上下する上下移動部５ａから構成される。固定部４ａを窓枠板２１に取り付けて、上下移動部５ａを手の指などで押して上に上げる。上げた上下移動部５ａを下げる場合は、上下移動部５ａを手の指などで押して下に下げる。この上下移動装置２ａの内部構造は図示しない。【０００９】（ハ）の「上下移動部５ａには、カーテンレール１を連結させるためのカーテンレール連結部６ａを設ける。」について説明する。（図２，３参照）
上下移動部５ａとカーテンレール１を連動させるために、上下移動部５ａとカーテンレール１を結び付ける連結部６ａが必要である。
連結部６ａは、上下移動部５ａとカーテンレール１を粘着剤で結び付ける場合は不要であるが、粘着剤を使用しない場合は、金属板などの堅牢なものを用いて、ボルトなどで上下移動部５ａとカーテンレール１をつなぎとめる構造とする。【００１０】（ニ）の「上下移動装置２ｂは、窓枠板２１に取り付ける固定部４ｂと押し込み式で上下する上下移動部５ｂから成る。」と
（ホ）の「上下移動部５ｂには、カーテンレール１を連結させるためのカーテンレール連結部６ｂを設ける。」と
（ヘ）の「カーテンレール１は、上下移動部５ａ，５ｂとカーテンレール連結部６ａ，６ｂで連結されている。」の説明は、上下移動装置２ａと上下移動装置２ｂが同一であるので省略する。【００１１】  ［０００８］で述べたが、カーテンレール１を上下に移動させる方法はいろいろある。押し込み式でカーテンレール１を上下に移動させる方法もそのひとつだが、このほかに、図示しないが、次のような方法がある。
１：金属が温度によって変化することを応用した、形状記憶合金を使用する方法やバイメタルを使用する方法などがある。
２：カーテンレール１の両端に磁石をそれぞれ設け、左右の窓枠板２１に磁石を設ける。
この場合、夏と冬にカーテンレール１を上下させる必要があるから、左右の窓枠板２１の上下にそれぞれ磁石を設ける。磁石を使用する場合は、カーテンレール１とカーテン１０の重みに耐えられるような強靭なものを使用する。
３：押し込み式のように、上下移動部５ａを手の指などで押して上下させるのではなく、棒状のハンドルを使用して、上下移動部５ａを上下させる方法もある。
４：温度センサーを使用して、自動的に上下移動部５ａを上下させる方法もある。
５：電動モーターを使用して、上下移動部５ａを上下させる方法もある。
【図面の簡単な説明】
【００２０】
【図１】は、従来のカーテンレールの使用法をあらわした縦断側面図である。
【図２】は、本考案を使用した正面図である。
【図３】は、本考案の使用法をあらわした縦断側面図である。
【図４】は、本考案の使用法をあらわした縦断側面図である。
【符号の説明】
【００３０】１  カーテンレール      ２ａ，２ｂ  上下移動装置
４ａ，４ｂ  固定部      ５ａ，５ｂ  上下移動部
６ａ，６ｂ  カーテンレール連結部      ８  カーテン吊り具
１０  カーテン      １１，１２  カーテンレール
１３，１４  カーテン吊り具      １５，１６  カーテン
２１  窓枠板      ２２  窓ガラス
２３，２４  外壁      ３１  隙間
３２  屋内      ３３  屋外
【図１】
0003149943.tif 000003
【図２】
0003149943.tif 000004
【図３】
0003149943.tif 000005
【図４】
0003149943.tif 000006